(57)【要約】【課題】  装着時に採便用カップとの間で正確に安定した状態で位置決めできる使い捨ておむつを提供する。【解決手段】尻置きシート１０の外側面には、ポケット４６が形成されている。ポケット４６は、対向する２か所４６ａ，４６ｂで尻置きシート１０に固定されている。ポケット４６は、採便用カップへの装着時に、採便用カップの板部が挿入される。【選択図】  図１
0003137626.tif 000002
【実用新案登録請求の範囲】
【請求項１】
装着者の尻部が置かれる尻置きシートと、
前記尻置きシートとは独立して設けられ、前記装着者の腰部に巻きつかれる腰巻きシートと
を有し、
前記尻置きシートは、
前記尻部が置かれる第１の面側の少なくとも前記尻部が置かれる領域に液透過性材が形成され、前記第１の面と反対側の第２の面に採便用カップの尻置き板が挿入されるポケットが形成されている
使い捨ておむつ。
【請求項２】
前記尻置きシートには、前記採便用カップに固定する際に、前記採便用カップの前記尻置き板側のカップ部を内側に位置させる前記カップ部の外周に沿った内周を有する凹部が形成されている
請求項１に記載の使い捨ておむつ。
【考案の詳細な説明】
【技術分野】
【０００１】
本考案は、排泄物の処理をするための介護用排泄物処理装置に用いられる使い捨ておむつに関する。
【背景技術】
【０００２】
介護施設等に於いては、ベッド等に仰向け状態にある被介護者の採便・採尿を行って洗浄する、糞尿を排出して洗浄するといった介護作業が介護作業者によって行われている。
介護作業者にとっては、洗浄するための温水、洗浄後の排水、排泄物の処理などが困難であり、介護作業者の作業を軽減したいといった要望がある。
このような要望に応えるために、排泄物を吸引してタンクに貯える介護用排泄物処理装置がある。
このような介護用排泄物処理装置では、その本体にホースユニットが接続され、このホースユニットの先端に採便用カップが取り付けられる。被介護者は、局部に対応した位置に開口部が形成された介護用使い捨ておむつをはいた状態で採便用カップを局部付近に装着する。
【０００３】
【特許文献１】特開２００７−１３０４９６号公報
【考案の開示】
【考案が解決しようとする課題】
【０００４】
しかしながら、上述した従来の使い捨ておむつでは、採便用カップとの間の位置がずれてしまい、便や尿が漏れる場合があるという問題がある。
【０００５】
本考案は、上述したような事情に鑑みてなされたものであって、装着時に採便用カップとの間で正確に安定した状態で位置決めできる使い捨ておむつを提供することを目的とする。
【課題を解決するための手段】
【０００６】
上述した従来技術の問題点を解決し、上述した目的を達成するために、本考案の使い捨ておむつは、装着者の尻部が置かれる尻置きシートと、前記尻置きシートとは独立して設けられ、前記装着者の腰部に巻きつかれる腰巻きシートとを有し、前記尻置きシートは、前記尻部が置かれる第１の面側の少なくとも前記尻部が置かれる領域に液透過性材が形成され、前記第１の面と反対側の第２の面に採便用カップの尻置き板が挿入されるポケットが形成されている。
本考案の使い捨ておむつは、その使用時において、先ず、尻置きシートのポケットを採便用カップの板部に挿入させながら、尻置きシートを採便用カップに固定する。これにより、ポケットと板部との係合により、尻置きシートが採便用カップに対して安定して位置決めされる。
そして、この状態で、被介護者の腰回りに腰巻きシートを体にフィットさせた状態で巻きつけて固定する。これにより、尻置きシートと採便用カップとが安定した状態で一体化され、被介護者が動いた場合でも、これらの位置関係がずれることは殆どない。
【０００７】
本考案の使い捨ておむつは、好適には、前記尻置きシートには、前記採便用カップに固定する際に、前記採便用カップの前記尻置き板側のカップ部を内側に位置させる前記カップ部の外周に沿った内周を有する凹部が形成されている。
【考案の効果】
【０００８】
本考案によれば、装着時に採便用カップとの間で正確に安定した状態で位置決めできる使い捨ておむつを提供することができる。
【考案を実施するための最良の形態】
【０００９】
以下、本考案の実施形態に係る使い捨ておむつについて説明する。
図１は、本考案の実施形態に係る使い捨ておむつ１の尻置きシート１０の外側面の構成図、図２は使い捨ておむつ１の尻置きシート１０の内側面の構成図、図３は使い捨ておむつ１の腰巻きシート２０の平面図である。
【００１０】
使い捨ておむつ１は、尻置きシート１０と腰巻きシート２０との２つのシートで構成される。
【００１１】
＜尻置きシート１０＞
図１に示すように、尻置きシート１０は、シート状の矩形であり、一辺（短辺）の中央部に凹部４０が形成されている。
凹部４０には、図４に示すように、採便用カップ２００の下側カップ部２０２が挿入される。凹部４０は、下側カップ部２０２の外周に沿った形状をしている。
凹部４０の両側には、凹部４０と一体となって下側カップ部２０２を内側に挿入する凸部４２が形成されている。
図２に示すように、尻置きシート１０の内側の凸部４２付近の領域５５は、例えば、液非透過性の部材で形成されている。
【００１２】
尻置きシート１０の外側面には、ポケット４６が形成されている。
図１に示すように、ポケット４６は、対向する端の２か所４６ａ，４６ｂで尻置きシート１０に固定されている。
ポケット４６は、採便用カップ２００への装着時に、採便用カップ２００の板部２０４が挿入される。このとき、ポケット４６を突き抜けるように板部２０４が位置してもよいし、ポケット４８内に板部２０４の先端が位置してもよい。
【００１３】
図２に示すように、尻置きシート１０の内側は、中央部等の領域５０，５１，５２は、液透過性部材で形成されている。液透過性部材としては、例えば、ポリエチレン、ポリプロピレン、ポリエステル等の樹脂からなる不織布等が用いられる。尻置きシート１０の内側表面は、多数の折り目がついており、折り目の間に便などが入り、被介護者の肌に直接触れない構造になっている。
【００１４】
＜腰巻きシート２０＞
腰巻きシート２０は、図３に示すように、ストライプ状で、一方の短辺に２本の面ファスナー２２，２３が設けられている。
【００１５】
使い捨ておむつ１は、その使用時において、先ず、図４に示すように、尻置きシート１０のポケット４６を採便用カップ２００の板部２０４に挿入させながら、尻置きシート１０の凹部４０内に下側カップ部２０２を挿入する。これにより、ポケット４６と板部２０４との係合、並びに凹部４０と下側カップ部２０２との係合により、尻置きシート１０が採便用カップ２００に対して安定して位置決めされる。
【００１６】
そして、この状態で、図５に示すように、被介護者の腰回りに腰巻きシート２０を体にフィットさせた状態で巻きつけて２本の面ファスナー２２，２３で固定する。
これにより、尻置きシート１０と採便用カップ２００とが安定した状態で一体化され、被介護者が動いた場合でも、これらの位置関係がずれることは殆どない。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、図１に示すように、ポケット４６は、対向する端の２か所４６ａ，４６ｂで尻置きシート１０に固定した場合を例示したが、２か所４６ａ，４６ｂのうち少なくとも一方を面ファスナーにしてもよい。これにより、ポケット４６内に板部２０を挿入しやすくなる。
【００１８】
また、上述した実施形態では、図６に示すように、ポケット４６を２か所４６ａ，４６ｂ，４６ｃで固定して袋状にしてもよい。
【図面の簡単な説明】
【００１９】
【図１】図１は、本考案の実施形態に係る使い捨ておむつの尻置きシートの外側面の構成図である。
【図２】図２は、本考案の使い捨ておむつの尻置きシートの内側面の構成図である。
【図３】図３は、本考案の使い捨ておむつの腰巻きシートの平面図である。
【図４】図４は、本考案の使い捨ておむつの使用形態を説明するための図である。
【図５】図５は、本考案の使い捨ておむつの使用形態を説明するための図である。
【図６】図６は、本考案の使い捨ておもつの変形例を説明するための図である。
【符合の説明】
【００２０】
１…使い捨ておむつ
１０…尻置きシート
４０…凹部
２０…腰巻きシート
２２，２３…面ファスナー
２００…採便用カップ
２０２…下側カップ部
【図１】
0003137626.tif 000003
【図２】
0003137626.tif 000004
【図３】
0003137626.tif 000005
【図４】
0003137626.tif 000006
【図５】
0003137626.tif 000007
【図６】
0003137626.tif 000008